(57)【特許請求の範囲】
【請求項１】
複数の放送事業者の放送を送信する放送送信側と、
前記放送を受信するデジタル放送受信機を含む放送受信側と、
を備える放送システムであって、
前記放送送信側において、前記放送事業者と前記放送受信側との視聴契約の内容に従って、スクランブルされた番組放送データと、当該番組放送データのスクランブルを解除する鍵情報とが送信され、
前記放送受信側において、前記デジタル放送受信機は、前記番組放送データおよび前記鍵情報を受信し、かつ前記鍵情報を用いて前記番組放送データのスクランブルを解除する複数のＩＣカードが着脱可能に備えられ、
前記デジタル放送受信機は、
前記ＩＣカードが装着されると、当該ＩＣカードが有する端末ＩＤと、前記デジタル放送受信機の固有ＩＤとを対応付けて前記放送送信側に送信し、
前記放送送信側は、
複数の前記ＩＣカードが一の前記デジタル放送受信機に装着されることにより、受信した同一の前記固有ＩＤに対応付けられた複数の前記端末ＩＤが存在する場合において、一の端末ＩＤで複数の視聴契約があり、かつ他の端末ＩＤで前記視聴契約がない場合は、前記端末ＩＤと前記視聴契約とが一対となるように、前記一の端末ＩＤにて契約された前記複数の視聴契約を前記他の端末ＩＤで視聴契約したように変更することを特徴とする、放送システム。
【請求項２】
前記放送送信側は、
各々の前記放送事業者と前記放送受信側との契約情報を記録する契約情報記録部と、
前記契約情報を管理する情報管理部と、
を備え、
前記情報管理部は、受信した同一の固有ＩＤに対応付けられた各々の前記端末ＩＤの前記契約情報を前記契約情報記録部から読み出し、一の端末ＩＤで複数の視聴契約があり、かつ他の端末ＩＤで前記視聴契約がない場合は、前記端末ＩＤと前記視聴契約とが一対となるように、前記一の端末ＩＤにて契約された前記複数の視聴契約を前記他の端末ＩＤで視聴契約したように変更することを特徴とする、請求項１に記載の放送システム。
【請求項３】
前記放送送信側は、変更した前記端末ＩＤに基づいて、前記番組放送データのスクランブルおよび前記鍵情報を生成することを特徴とする、請求項１または２に記載の放送システム。
【請求項４】
前記番組放送データのスクランブルおよび前記鍵情報は、番組放送毎に生成されることを特徴とする、請求項３に記載の放送システム。
【請求項５】
前記デジタル放送受信機の前記固有ＩＤは、ＭＡＣアドレス（ｍｅｄｉａ  ａｃｃｅｓｓ  ｃｏｎｔｒｏｌ  ａｄｄｒｅｓｓ）であることを特徴とする、請求項１または２に記載の放送システム。
【発明の詳細な説明】
【技術分野】
【０００１】
本発明は、放送システムに関し、特に、有料契約番組（以下、有料番組とも称する）を放送・視聴する放送システムに関する。
【背景技術】
【０００２】
衛星デジタル放送やケーブルテレビにおいて有料番組をサービスする場合には、視聴契約を行った視聴者のみが契約対象の有料番組を視聴できるように放送する必要がある。
【０００３】
このような放送を実現するために、衛星デジタル放送やケーブルテレビの放送事業者は、番組の映像・音声データに対してスクランブルをかけ、スクランブルされた映像・音声データとともにスクランブルを解除（以下、デスクランブルとも称する）するための鍵情報を放送波で配信する。放送を受信するデジタル放送受信機は、スクランブルを解除するための信号処理回路を有しており、受信した鍵情報を使用して信号処理回路にてスクランブルを解除する。
【０００４】
デジタル放送受信機は、異なる唯一の端末ＩＤを有しており、視聴者は当該端末ＩＤを申請して放送事業者と視聴契約を結ぶ。
【０００５】
放送事業者は、鍵情報の生成時に端末ＩＤを使用し、契約者（視聴者）の端末ＩＤで映像・音声データのデスクランブルができるように鍵情報を生成する。従って、視聴契約した視聴者のデジタル放送受信機のみが信号処理回路にてスクランブルを解除することができ、契約した有料番組を視聴することができる。
【０００６】
また、上記の端末ＩＤおよび信号処理回路を、デジタル放送受信機に対して容易に着脱可能なＩＣカードに組み込むことによって、デジタル放送受信機が故障するなどして交換した場合であっても、交換したデジタル放送受信機にＩＣカードを装着することで契約した有料番組を視聴することが可能となる。
【０００７】
視聴者が複数の放送事業者と視聴契約を行った場合は、表示画面を分割して同時に複数の有料番組を視聴したり、有料番組を視聴しながら別の放送事業者の有料番組を記録媒体に記録（録画）したりするなどの使用状況があり得るため、同時に複数の有料番組のデスクランブルが必要となる。
【０００８】
従来では、視聴者が複数の放送事業者と視聴契約を行った場合において、放送事業者ごとに別々の端末ＩＤで契約し、契約した端末ＩＤを有するＩＣカードを数珠繋ぎにデジタル放送受信機に装着する（すなわち、契約数分のＩＣカードをデジタル放送受信機に装着する）ことによって、各々のＩＣカードにてスクランブルを解除して有料番組の視聴を可能とするデジタル放送受信機がある（例えば、特許文献１参照）。
【先行技術文献】
【特許文献】
【０００９】
【特許文献１】特許第３５９２５０３号公報
【発明の概要】
【発明が解決しようとする課題】
【００１０】
特許文献１では、一つのＩＣカードの端末ＩＤで複数の放送事業者と契約した場合において、ＩＣカードの信号処理回路の単位時間あたりの処理能力に上限があるため、一つのＩＣカードで同時に複数の番組のデスクランブルを行うことができない場合が生じる。従って、同時間帯に複数の有料番組の視聴・記録ができないという問題がある。
【００１１】
本発明は、これらの問題を解決するためになされたものであり、一つのＩＣカードの端末ＩＤで複数の放送事業者と契約した場合であっても、同時間帯で複数の有料番組の視聴・記録が可能な放送システムを提供することを目的とする。
【課題を解決するための手段】
【００１２】
上記の課題を解決するために、本発明による放送システムは、複数の放送事業者の放送を送信する放送送信側と、放送を受信するデジタル放送受信機を含む放送受信側とを備える放送システムであって、放送送信側において、放送事業者と放送受信側との視聴契約の内容に従って、スクランブルされた番組放送データと、当該番組放送データのスクランブルを解除する鍵情報とが送信され、放送受信側において、デジタル放送受信機は、番組放送データおよび鍵情報を受信し、かつ鍵情報を用いて番組放送データのスクランブルを解除する複数のＩＣカードが着脱可能に備えられ、デジタル放送受信機は、ＩＣカードが装着されると、当該ＩＣカードが有する端末ＩＤと、デジタル放送受信機の固有ＩＤとを対応付けて放送送信側に送信し、放送送信側は、複数のＩＣカードが一のデジタル放送受信機に装着されることにより、受信した同一の固有ＩＤに対応付けられた複数の端末ＩＤが存在する場合において、一の端末ＩＤで複数の視聴契約があり、かつ他の端末ＩＤで視聴契約がない場合は、端末ＩＤと視聴契約とが一対となるように、一の端末ＩＤにて契約された複数の視聴契約を他の端末ＩＤで視聴契約したように変更することを特徴とする。
【発明の効果】
【００１３】
本発明によると、デジタル放送受信機は、ＩＣカードが装着されると、当該ＩＣカードが有する端末ＩＤと、デジタル放送受信機の固有ＩＤとを対応付けて放送送信側に送信し、放送送信側は、複数のＩＣカードが一のデジタル放送受信機に装着されることにより、受信した同一の固有ＩＤに対応付けられた複数の端末ＩＤが存在する場合において、一の端末ＩＤで複数の視聴契約があり、かつ他の端末ＩＤで視聴契約がない場合は、端末ＩＤと視聴契約とが一対となるように、一の端末ＩＤにて契約された複数の視聴契約を他の端末ＩＤで視聴契約したように変更するため、一つのＩＣカードの端末ＩＤで複数の放送事業者と契約した場合であっても、同時間帯で複数の有料番組の視聴・記録が可能となる。
【図面の簡単な説明】
【００１４】
【図１】本発明の実施形態による放送システムの構成の一例を示す図である。
【図２】本発明の実施形態による受信機の構成の一例を示すブロック図である。
【図３】本発明の実施形態による制御回路および回線制御の動作を示すフローチャートである。
【図４】本発明の実施形態による顧客情報管理装置の動作を示すフローチャートである。
【図５】本発明の実施形態による契約情報の変更の一例を示す図である。
【図６】本発明の実施形態による受信機における視聴と録画の動作を示す図である。
【発明を実施するための形態】
【００１５】
本発明の実施形態について、図面に基づいて以下に説明する。
【００１６】
〈構成〉
図１は、本発明の実施形態による放送システムの構成の一例を示す図であり、衛星デジタル放送の放送システムを例として示している。
【００１７】
図１に示すように、本実施形態による放送システムは、複数の放送事業者の放送を送信する放送送信側と、放送送信側が送信した放送を受信する受信機１２（デジタル放送受信機）を含む放送受信側とを備えている。
【００１８】
放送送信側には、各々の放送事業者と視聴者（放送受信側）との契約情報（契約番組、契約期間、端末ＩＤ）を記憶する契約情報記録部２２と、各放送事業者が視聴契約した視聴者の契約情報（契約情報記録部２２に記録された契約情報）を一括管理する顧客情報管理装置２３（情報管理部）と、受信機１２で映像・音声データ（番組放送データ）にかけられたスクランブルを解除するための鍵情報を生成する鍵情報生成装置２４と、映像・音声データにスクランブルをかけるスクランブラ２５と、複数の放送事業者Ａ〜Ｃの番組の映像・音声データおよび鍵情報を多重化する多重化装置２６と、中継器２８に向けて放送波を送信するアップリンク装置２７とが備えられている。
【００１９】
一方、放送受信側には、放送を視聴するための受信機１２と、受信機１２が衛星デジタル放送を受信するためのアンテナ１３と、受信機１２に着脱可能なＩＣカード３とが備えられている。
【００２０】
また、中継器２８は、地球を周回する静止衛星に搭載され、地上（アップリンク装置２７）から送信された放送波を地上（受信機１２のアンテナ１３）に向けて折り返し送信するよう中継するものであり、回線２１は、受信機１２が外部（放送送信側）とデータ交換を行うための通信網である。
【００２１】
なお、図１において、ＩＣカード３はＩＣカード３Ａ〜３Ｃの３つとしているが、３つに限らず複数あればよい。
【００２２】
図２は、本発明の実施形態による受信機１２の構成の一例を示すブロック図であり、３つのチューナーを実装して同時に３つまでの放送番組を視聴する場合を例として示している。
【００２３】
図２に示すように、本実施形態による受信機１２は、衛星デジタル放送や地上デジタル放送、あるいはケーブルテレビを放送事業者が放送波で送信するように変換した情報を変換前の情報に戻すチューナー１と、伝送路上で発生したデータの誤りを修復する誤り訂正回路２と、受信機１２に対して着脱可能なＩＣカード３（ＩＣカード３Ａ〜３Ｃ）と、ＩＣカード３の着脱状態を検出するカード検出回路４（４Ａ〜４Ｃ）と、信号の伝達経路の切り換えを行う切り換えスイッチ５（５Ａ〜５Ｃ）と、放送時に多重化されて送信されてきた映像データと音声データとをそれぞれ分離するＤＥＭＵＸ回路６（デマルチプレクサ回路）と、ＤＥＭＵＸ回路６にて分離された映像データおよび音声データをそれぞれ復号する映像・音声デコード回路７と、映像・音声デコード回路７にて復号された映像および音声を出力する映像・音声出力回路８と、番組を映像・音声デコード回路７にて復号する前のデータで記録する記録媒体９と、番組を視聴するために受信機１２を制御する制御回路１０と、回線２１（図１参照）を経由して外部とデータの送受信を行う回線制御１１とを備えている。
【００２４】
また、ＩＣカード３（３Ａ〜３Ｃ）には、ＩＣカード３（３Ａ〜３Ｃ）に固有の端末ＩＤを記憶する記憶回路３１（３１Ａ〜３１Ｃ）と、受信機１２の誤り訂正回路２から入力された映像・音声データを含む番組情報のスクランブルを解除する信号処理回路３２（３２Ａ〜３２Ｃ）と、ＩＣカード３（３Ａ〜３Ｃ）を制御する制御回路３３（３３Ａ〜３３Ｃ）とを備えている。
【００２５】
このように、放送送信側において、放送事業者と放送受信側との視聴契約の内容（契約情報）に従って、スクランブルされた番組放送データと、当該番組放送データのスクランブルを解除する鍵情報とが送信され、放送受信側において、受信機１２は、番組放送データおよび鍵情報を受信し、かつ鍵情報を用いて番組放送データのスクランブルを解除する複数のＩＣカード３が着脱可能に備えられている。
【００２６】
〈動作〉
まず、受信機１２の動作について説明する。
【００２７】
図２に示すように、アンテナ１３（図１参照）によって受信された放送波は、チューナー１にて復調された後に、伝送路で発生したデータ誤りを誤り訂正回路２にて修復される。制御回路１０は、カード検出回路４によってＩＣカード３が受信機１２に装着されているか否かを確認し、ＩＣカード３が受信機１２に装着されている場合は、誤り訂正回路２から出力したデータがＩＣカード３を経由するように切り換えスイッチ５を制御する。また、ＩＣカード３が受信機１２に装着されていない場合は、誤り訂正回路２から出力したデータがＩＣカード３を経由しないように切り換えスイッチ５を制御する。例えば、ＩＣカード３Ａ，３Ｂが受信機１２に装着されている場合において、制御回路１０は、カード検出回路４Ａ〜４ＣによってＩＣカード３Ａ，３Ｂが受信機１２に装着され、ＩＣカード３Ｃが受信機１２に装着されていないことを確認する。そして、制御回路１０は、誤り訂正回路２から出力されたデータがＩＣカード３Ａ，３Ｂを経由し、かつＩＣカード３Ｃを経由しないように切り換えスイッチ５Ａ〜５Ｃを制御する。
【００２８】
ＩＣカード３の信号処理回路３２には、スクランブルされた映像・音声データと、スクランブルと解除するための鍵情報とが入力される。また、記憶回路３１から読み出された端末ＩＤも信号処理回路３２に入力される。スクランブルを解除するための鍵情報は、放送事業者側の鍵情報生成装置２４（図１参照）にて端末ＩＤを用いて生成されているため、ＩＣカード３の記憶回路３１に記憶されている端末ＩＤと、鍵情報を生成するために用いられた端末ＩＤとが同じであれば、信号処理回路３２にてスクランブルを解除（デスクランブル）することができる。
【００２９】
信号処理回路３２から出力されたデータは、切り換えスイッチ５を介してＤＥＭＵＸ回路６に入力される。ＤＥＭＵＸ回路６では、符号化された映像データと符号化された音声データとに分離される。ＤＥＭＵＸ回路６から出力された映像・音声データは、映像・音声デコード回路７にて復号された後、映像・音声出力回路８から映像・音声として出力されて視聴することができる。また、ＤＥＭＵＸ回路６から出力された映像・音声データを記録媒体９に記録することもできる。
【００３０】
上記の動作を行う受信機１２において、視聴者が選局した有料番組が視聴契約対象の番組である場合は、ＩＣカード３の信号処理回路３２にて映像・音声データのスクランブルが解除され、ＤＥＭＵＸ回路６にて映像データと音声データとに分離され、映像・音声デコード回路７にて正常に復号された後に、映像・音声出力回路８にてモニターやスピーカーへの出力データに変換されて視聴することができる。また、番組を記録（録画）する場合は、ＤＥＭＵＸ回路６にて分離された映像データおよび音声データが記録媒体９に格納される。
【００３１】
一方、視聴者が選局した有料番組が視聴契約対象ではない場合は、ＩＣカード３の信号処理回路３２にて映像・音声データのスクランブルが解除できないため、ＤＥＭＵＸ回路６にて映像データと音声データとに分離されても、映像・音声デコード回路７にて正常に復号できずに番組を視聴することができない。映像・音声データが正常に復号できない場合は、例えば、音声は無音出力、映像は黒画面を出力するとともに、正常に復号されない旨のメッセージをモニターに表示するなどして視聴者に知らせるようにしてもよい。
【００３２】
次に、受信機１２の回線制御１１から回線２１を介して放送事業者側に受信機１２の情報を送信する動作について説明する。
【００３３】
図３は、本発明の実施形態による制御回路１０および回線制御１１の動作を示すフローチャートである。図３に示すように、制御回路１０は、カード検出回路４の状態を確認し（ステップＳ３１）、ＩＣカード３が受信機１２に装着されているか否かについて判断する（ステップＳ３２）。ＩＣカード３が受信機１２に装着されている場合は、ＩＣカード３から端末ＩＤを読み出す（ステップＳ３３）、読み出した端末ＩＤを回線制御１１に渡す（ステップＳ３４）。端末ＩＤを渡された回線制御１１は、例えば、ＬＡＮ（ｌｏｃａｌ  ａｒｅａ  ｎｅｔｗｏｒｋ）に接続する全ての機器が有する固有のＩＤであるＭＡＣアドレス（ｍｅｄｉａ  ａｃｃｅｓｓ  ｃｏｎｔｒｏｌ  ａｄｄｒｅｓｓ）（すなわち、受信機１２の固有ＩＤ）と端末ＩＤとをペアにして、回線２１を介して放送事業者側の顧客情報管理装置２３に送信する（ステップＳ３５）。そして、全てのカード検出回路４の状態を確認したか否かを判断し（ステップＳ３６）、未確認のカード検出回路４があれば当該カード検出回路４の状態を確認する（ステップＳ３７）。このように、受信機１２に装着している全てのＩＣカード３の端末ＩＤと受信機固有のＩＤ（例えば、ＭＡＣアドレス）とをペアにして顧客情報管理装置２３に送信する。すなわち、受信機１２は、ＩＣカード３が装着されると、当該ＩＣカード３が有する端末ＩＤと、受信機１２の固有ＩＤとを対応付けて放送送信側に送信する。
【００３４】
次に、放送事業者側の動作について説明する。
【００３５】
図１に示すように、放送事業者の顧客ごとの契約対象の番組（契約番組）、契約期間、端末ＩＤなどからなる視聴契約の情報（契約情報）は、契約情報記録部２２に記録されており、顧客情報管理装置２３が一括管理している。
【００３６】
顧客情報管理装置２３は、番組が放送される度に、鍵情報生成装置２４とスクランブラ２５とに契約番組、契約期間、および端末ＩＤをそれぞれ渡し、端末ＩＤに基づいて、スクランブラ２５にて映像データおよび音声データにスクランブルをかけさせるとともに、鍵情報生成装置２４にてスクランブルを解除するための鍵情報を生成させる。スクランブルされた映像データおよび音声データは、多重化装置２６にて鍵情報とともに多重化され、アップリンク装置２７から中継器２８に向けて放送波として発信される。中継器２８にて中継された放送波は、受信機１２のアンテナ１３によって受信され受信機１２で番組を視聴することができる。
【００３７】
図４は、本発明の実施形態による顧客情報管理装置２３の動作を示すフローチャートである。図４に示すように、顧客情報管理装置２３は、受信機１２から回線２１を介して受信した情報から、同じＭＡＣアドレスの受信機１２から受信した端末ＩＤを確認する（ステップＳ４１）。次に、ステップＳ４１にて確認された端末ＩＤの契約内容を契約情報記録部２２から読み出し（ステップＳ４２）、端末ＩＤごとの契約数を調べる。そして、複数の放送事業者と契約している端末ＩＤがあるか否かを判断し（ステップＳ４３）、複数の放送事業者と契約している端末ＩＤがある場合は、さらに、どの放送事業者とも契約していない端末ＩＤがあるか否かを判断する（ステップＳ４４）。ステップＳ４４において、どの放送事業者とも契約していない端末ＩＤがある場合は、ステップＳ４３にて複数の放送事業者と契約していると判断された端末ＩＤが有する複数契約のうちの一つの契約を、ステップＳ４４にてどの放送事業者とも契約していないと判断された端末ＩＤで契約しているように、契約情報記録部２２の契約情報を更新する（ステップＳ４５）。ステップＳ４５の後、更新した契約番組、契約期間、および端末ＩＤの情報（更新後の契約情報）を、鍵情報生成装置２４とスクランブラ２５とに渡す（ステップＳ４６）。鍵情報生成装置２４およびスクランブラ２５は、変更した端末ＩＤに基づいて、鍵情報および映像・音声データ（番組放送データ）のスクランブルを生成する。
【００３８】
図５は、本発明の実施形態による契約情報の変更の一例を示す図であり、契約番組、契約期間、および端末ＩＤの更新前および更新後を示している。図５に示すように、更新前において、３つのＩＣカード３のうち、端末ＩＤ＝００１のＩＣカード３Ａは、ａ放送、ｂ放送、ｃ放送の３つの放送事業者と視聴契約している。また、端末ＩＤ＝００２のＩＣカード３Ｂ、端末ＩＤ＝００３のＩＣカード３Ｃは、それぞれどの放送事業者とも契約していない。更新後において、端末ＩＤ＝００１のＩＣカード３Ａはａ放送、端末ＩＤ＝００２のＩＣカード３Ｂはｂ放送、端末ＩＤ＝００３のＩＣカード３Ｃはｃ放送とそれぞれ視聴契約しているように契約情報が更新される。すなわち、一つの端末ＩＤで一つの放送事業者と契約しているように契約情報が更新される。
【００３９】
このように、放送送信側は、複数のＩＣカード３が一つの受信機１２に装着されることにより、受信した同一のＭＡＣアドレス（固有ＩＤ）に対応付けられた複数の端末ＩＤが存在する場合において、一つの端末ＩＤで複数の視聴契約があり、かつ他の端末ＩＤで視聴契約がない場合は、端末ＩＤと視聴契約とが一対となるように、一つの端末ＩＤにて契約された複数の視聴契約を他の端末ＩＤで視聴契約したように変更する。
【００４０】
図６は、本発明の実施形態による受信機１２における視聴と録画の動作を示す図であり、顧客情報管理装置２３によって契約情報が更新された後に、３つの放送事業者の番組の放送時間が重なった場合について示している。図６に示すように、時刻Ｔ１から時刻Ｔ２の間では、ａ放送の視聴とｂ放送の録画とが重なっているが、ａ放送はＩＣカード３Ａによってスクランブルが解除され、ｂ放送波ＩＣカード３Ｂによってスクランブルが解除されるため、ａ放送の視聴およびｂ放送の録画はどちらも正常に実行される。また、時刻Ｔ２以降では、さらにｃ放送の録画も実行されるが、ｃ放送はＩＣカード３Ｃによってスクランブルが解除されるため、ｃ放送の録画も正常に実行される。
【００４１】
以上のことから、一つのＩＣカードの端末ＩＤで複数の放送事業者と契約した場合であっても、受信機に契約しているＩＣカードを装着したままで、未契約のＩＣカードを追加装着することによって、未契約のＩＣカードを用いてスクランブルを解除することができる。従って、視聴者が新たなＩＣカードの端末ＩＤで放送事業者と契約し直すことなく、同時間帯で放送される複数の有料番組の視聴・記録（録画）をすることができる。
【符号の説明】
【００４２】
１  チューナー、２  誤り訂正回路、３  ＩＣカード、４  カード検出回路、５  切り換えスイッチ、６  ＤＥＭＵＸ回路、７  映像・音声デコード回路、８  映像・音声出力回路、９  記録媒体、１０  制御回路、１１  回線制御、１２  受信機、１３  アンテナ、２１  回線、２２  契約情報記録部、２３  顧客情報管理装置、２４  鍵情報生成装置、２５  スクランブラ、２６  多重化装置、２７  アップリンク装置、２８  中継器、３１  記憶回路、３２  信号処理回路、３３  制御回路。
【図１】
0005570394.tif 000002
【図２】
0005570394.tif 000003
【図３】
0005570394.tif 000004
【図４】
0005570394.tif 000005
【図５】
0005570394.tif 000006
【図６】
0005570394.tif 000007